(57)【要約】【課題】名刺や紙幣などの紙媒体に芳香成分を移香させるための収納ケースを提供する。【解決手段】  紙媒体に芳香成分を付着させるための収納ケースであって、前記紙媒体を重ねて収納する収納体と、前記収納体内で前記紙媒体の長さ方向に向けて芳香成分を揮散する芳香剤と、を有し、前記紙媒体を重ねて収納体内に収納し、前記収納体内で前記紙媒体の長さ方向に向けて芳香剤の芳香成分を揮散して芳香成分を紙媒体に移香させる収納ケース。【選択図】図１
2018134832.tif 000002
【特許請求の範囲】
【請求項１】
紙媒体に芳香成分を付着させるための収納ケースであって、
前記紙媒体を重ねて収納する収納体と、
前記収納体内で前記紙媒体の長さ方向に向けて芳香成分を揮散する芳香剤と、を有し、
前記収納体は、前記紙媒体を出し入れ可能に開閉するものであることを特徴とする収納ケース。
【請求項２】
前記収納体は、前記紙媒体に移香させる芳香成分が充満する収納空間を備え、
前記芳香剤は、前記紙媒体の繊維の流れ目に沿って前記紙媒体の長さ方向に向けて芳香成分を前記収納空間内で揮散するものであることを特徴とする請求項１に記載の収納ケース。
【請求項３】
前記芳香剤は、前記紙媒体の繊維の流れ目の方向に向けて芳香成分を揮散する芳香成分放出孔を複数開口したことを特徴とする請求項２に記載の収納ケース。
【請求項４】
前記芳香剤は、芳香成分を含浸させた含浸体を備え、前記含浸体を交換可能に備えていることを特徴とする請求項３に記載の収納ケース。
【請求項５】
前記収納体は、前記収納空間内に前記紙媒体を一方向に付勢する付勢体を有し、前記付勢体で前記紙媒体を一方向に付勢して芳香成分が流動する空間を確保したことを特徴とする請求項１乃至請求項４のいずれか１に記載の収納ケース。
【発明の詳細な説明】
【技術分野】
【０００１】
本発明は、名刺や紙幣などの紙媒体に芳香成分を移香させるための収納ケースに関する。
【背景技術】
【０００２】
例えば、紙媒体である名刺に芳香成分を移香させるケースが特許文献１及び特許文献２に開示されている。特許文献１に係るケースは、名刺形状の香りカードに香り物質を含浸させ、前記香りカードと名刺とを重ねて収納空間内に収納し、前記香りカードの香り物質から揮散する芳香成分を名刺に移香させる構造になっている。特許文献２に係るケースは、扁平形状の香り袋に顆粒の芳香剤を充填し、前記扁平形状の香り袋と名刺とを重ねて収納空間内に収納し、前記香り袋の芳香剤から揮散する芳香成分を名刺に移香させる構造になっている。
【先行技術文献】
【特許文献】
【０００３】
【特許文献１】実開平０１−１０８７８５公報
【特許文献２】実開平０６−０１１５２４公報
【発明の概要】
【発明が解決しようとする課題】
【０００４】
特許文献１及び２に開示されたケースは、香りカードや香り袋を平面形状に成形し、これらの香りカードや香り袋に名刺を重ね、芳香成分を移香する構造であるため、香りカードや香り袋と名刺の紙面とが正対することになる。
【０００５】
従って、香りカードや香り袋と直接接触している名刺には十分な芳香成分を移香させることができるが、名刺は複数枚重ねてケース内に収納されるから、重ねた位置によって名刺に芳香成分を十分に移香させることができないという課題がある。加えて、紙媒体の印刷面に芳香含浸体が直接接触することで、紙媒体の印刷面のインキが溶け出し紙媒体を損傷するリスクがある。また、紙媒体を出し入れする際に、香りカードや香り袋が紙媒体と一緒に出て来てしまう難点があった。
【０００６】
本発明の目的は、ケース内に重ねて収納した位置に関係なく名刺などの紙媒体に均一に芳香成分を移香させることができ、且つ紙媒体の収納スペースを邪魔しない収納ケースを提供することにある。
【課題を解決するための手段】
【０００７】
本発明に係る収納ケースは、紙媒体に芳香成分を移香させるための収納ケースであって、前記紙媒体を重ねて収納する紙媒体保持部と、この紙媒体の長さ方向に向けて芳香成分を揮散する芳香剤を収納する芳香剤保持部とを有する収納体であり、前記紙媒体を出し入れ可能に開閉するものであることを特徴とする。
【０００８】
本発明に係る収納ケースは、前記芳香剤から揮散する芳香成分が前記紙媒体の繊維の流れ目に沿うよう、この紙媒体の長さ方向に向けて揮散して充満する収納空間を備えることを特徴とする。
【０００９】
本発明に係る収納ケースは、前記紙媒体の繊維の流れ目の方向に向けて芳香成分を揮散する芳香成分放出孔を複数開口したことを特徴とする。
【００１０】
本発明に係る収納ケースは、前記芳香剤を含浸させた含浸体を備え、この含浸体を交換可能に備えていることを特徴とする。
【００１１】
本発明に係る収納ケースは、前記紙媒体を一方向に纏めて収納し、芳香成分が流動充満する収納空間を備えることを特徴とする。
【発明の効果】
【００１２】
以上説明したように、本発明によれば、紙媒体を重ねて収納体内に収納し、前記収納体内で前記紙媒体の長さ方向に向けて芳香剤の芳香成分を揮散して芳香成分を紙媒体に移香させている。紙媒体には名刺や紙幣やメモ用紙などが含まれており、これらの紙媒体の繊維構造に着目すると、紙媒体の長さ方向に沿って繊維の流れ目が存在している。従って、本発明は、前記収納体内で前記紙媒体の長さ方向に向けて芳香剤の芳香成分を揮散しているため、揮散した芳香成分が紙媒体の長さ方向で紙繊維に入り込むことになり、紙媒体の重ね位置に関わらず全ての紙媒体に十分な芳香成分を移香させることができる。ここで、上記紙媒体は、長四角形状に限られるものではなく、多角形状や、円形状のものを含み（これらを総して多角形状ともいう）、紙媒体を重ねて収納できるものであればよい。なお、通常の形状として長四角形状のもので図面を説明しているが、上記形状を含むものである。
【００１３】
また、本発明によれば、内ケース２を外ケース３に収納することで紙媒体を密閉する収納空間１０（紙媒体保持部２０）を構成することができ、芳香剤保持部に内蔵された芳香剤６から揮散する芳香成分６０がこの密閉された収納空間に充満して、外部へ漏れ出るのを抑制し、効率よく紙媒体へ移香することができる。
【００１４】
また、本発明によれば、内ケース２の外ケース３への収納時の空気の動きが、空気が芳香剤保持部に収納された芳香剤の周囲を通過して、収納空間１０に移動充満して紙媒体保持部２０に収納された紙媒体の繊維の流れ目に沿う様に芳香成分６０が移動する様に構成されていることで、紙媒体への移香を促進することができる。
【００１５】
また、本発明によれば、付勢体２６を設けることにより、収容空間内（紙媒体保持部）の開口方向へ紙媒体を押し上げ、一方向に紙媒体を押し付けることで紙媒体の下方に隙間ができ、この隙間に芳香成分６０が充満することにより、紙媒体は上下２方向から芳香成分の移香を受け、移香をさらに促進する効果が得られる。
【００１６】
また、本発明によれば、付勢体２６を設けることにより、収容空間内（紙媒体保持部）の開口方向へ紙媒体４を押し上げ、取出し時に指先で紙媒体を押し上げることなく、速やかに、紙媒体を紙媒体保持部から取出すことができる。
【図面の簡単な説明】
【００１７】
【図１】本発明に係る収納ケースの全体構成を示す斜視図である。
【図２】（ａ）は芳香剤保持部の部分拡大図であり、（ｂ）は（ａ）のＡ−Ａ線に沿った断面図である。
【図３】内ケースの下面図である。
【図４】外ケースの下面図である。
【図５】（ａ）は内ケースの上面図であり、（ｂ）は（ａ）のＢ−Ｂ線に沿った断面図、（ｃ）は（ｂ）の部分拡大図である。
【図６】（ａ）は内ケース２単体の状態の紙媒体の収納状態を示す断面図で、（ｂ）は内ケース２が外ケース３に収納された状態の断面図である。
【図７】（ａ）は紙媒体をクリップで纏める状態を示す斜視図であり、（ｂ）はクリップで纏められた紙媒体の収納状態を示す断面図で、紙媒体の枚数が少ない場合を示し、（ｃ）は紙媒体の枚数が多い場合を示している。紙媒体の厚さの違いによる紙媒体とケースとの間の隙間の差を示す断面図である。
【図８】（ａ）は本発明の第２実施形態に係る収納ケースで、芳香剤保持部を外ケースに構成した全体斜視図であり、（ｂ）は内ケース端面に設けられた芳香成分放出孔を示す矢視図であり、（ｃ）は内ケースのストッパ部を示す部分矢視図である。
【図９】（ａ）は本発明の第３実施形態に係る収納ケースで、外ケースを２分割し、２つの外ケースで内ケースを挟みこむ形とした全体構成図であり、外ケースと内ケースとの位置関係を決めるストッパ部を内ケース外側に構成した形態を示している。（ｂ）は内ケース端面に設けられた芳香成分放出孔を示す矢視図であり、（ｃ）は紙媒体を収納した状態を示す断面図である。
【図１０】（ａ）は本発明の第３実施形態に係る収納ケースの他の例で、外ケースを２分割し、２つの外ケースで内ケースを挟みこむ形とした全体構成図であり、外ケースと内ケースとの位置関係を決めるストッパ部を外ケース内側に構成した形態を示している。（ｂ）は内ケース端面に設けられた芳香成分放出孔を示す矢視図であり、（ｃ）は紙媒体を収納した状態を示す断面図である。
【図１１】芳香剤保持部を構成する側の外ケースで、芳香剤保持部９０を確保するためのストッパ部９８を明示するために部分断面図となっている。
【図１２】紙の繊維の方向の流れ目を説明する図面である。
【発明を実施するための形態】
【００１８】
紙は湿度によって紙内部の繊維が膨潤したり収縮したりすることで繊維の方向の流れ目と垂直方向に伸縮することがある。そして、紙の表裏の伸縮度合の差により紙が反ってしまうという現象が起こり得るが、その場合、繊維の方向と平行方向に反りやすくなる。また、印刷も紙の繊維の流れ目の方向に印刷を行うと、綺麗に印刷することができる。
【００１９】
よって、図１２に示すように、名刺や紙幣やメモ用紙等の紙媒体は、文字を繊維の流れ目の方向に印刷を行うと、綺麗に印刷することができ、紙媒体を手に取ったとき、ピンと張った状態になる。この場合、紙媒体は縦書き及び横書き何れの場合でも、長手方向に繊維の流れ目の方向が来るように配置することが一般的である。
【００２０】
本発明は、繊維の方向の流れ目に着目し、香りの成分を紙媒体に移香する際に、紙媒体の繊維の流れ目の方向に芳香成分を流すことで、紙媒体の繊維内に芳香成分が入り込み易くなり、紙媒体への移香を効果的に行うことができ、さらに紙媒体へ移香した芳香成分を長時間保持することができるものである。
【００２１】
以下、本発明の実施形態に係る収納ケースについて図面を参照しつつ詳しく説明する。
＜第１実施形態＞
図１は第１実施形態に係る収納ケースの全体構成を示す図である。図１に示すように、収納ケース１は芳香成分６０を含浸させた含浸体である芳香剤６を収納する芳香剤保持部４０と、紙媒体４を収納する収納体である紙媒体保持部２０とを持つ内ケース２と、外ケース３とからなる。芳香剤６と紙媒体４とを内ケース２に収納した状態で外ケース３に収納することで、芳香剤６と紙媒体４とを内蔵する密閉された収納空間１０が出来、この密閉空間（収納空間１０）に芳香剤６から揮散する芳香成分６０が充満して紙媒体４へ移香される。
【００２２】
内ケース２は、例えばポリプロピレン、ポリエチレンなどの耐薬品性のある合成樹脂の成形、アルミニウム合金の薄板の折り曲げなどで出来ており、外ケース３は、例えばポリプロピレン、ポリエチレンなどの合成樹脂の成形、アルミニウム合金の深絞り加工ないしインパクトプレス加工などで出来ている。内ケース２の外形寸法と外ケース３の内径寸法との隙間を微小隙間とすることにより、内ケース２を外ケース３に収納した状態で密閉空間が出来、内蔵された芳香剤６から揮散する芳香成分６０がこの密閉空間に充満して紙媒体４へ移香される。
【００２３】
芳香剤６は、常温で芳香成分が揮散する液体状の芳香材料を、シリカゲル、不織布、フェルト、紙材、樹脂、セラミック等の保持材に含浸させたもので、この芳香剤６から揮散する芳香成分６０が、内ケース２と外ケース３と内で出来る密閉空間に充満して、芳香剤６に隣接する紙媒体４へ移香される。
【００２４】
図２（ａ）は内ケース２の芳香剤保持部４０の部分拡大図である。内ケース２の外ケース３に対する挿入側側面に、芳香剤６を挿入する芳香剤挿入孔４２を持ち、芳香成分６０の揮散が進行して紙媒体４への移香効果が減少した場合に、この芳香剤挿入孔４２を通して芳香剤６の交換を行う。
【００２５】
図２（ｂ）は図２（ａ）のＡ−Ａ線に沿った断面図である。芳香剤保持部４０と紙媒体保持部２０とを隔て、芳香剤６と紙媒体４との直接接触を防止する仕切面２４に開孔された芳香成分放出孔４４を示している。この芳香成分放出孔４４を通して芳香剤６から揮散した芳香成分６０が、紙媒体保持部２０に収納された紙媒体４の繊維の流れ目に沿う様に充満して、紙媒体４へ移香される。本図では矩形孔２か所が示されているが、芳香剤６と紙媒体４との直接接触が防止され、芳香成分６０の揮散による移香が出来れば、孔形状、孔個数は限定されない。
【００２６】
図２（ａ）の左側面図の空気逃がし孔４６は、芳香剤６と紙媒体４とを内ケース２に収納した状態で外ケース３に収納する時に、内ケース２の外ケース３に対する挿入側端面と外ケースの端面内側との間に挟まれた空気が圧縮されて抵抗となるのを防止するため開孔されている。内ケース２の外ケース３への収納時に、この空気逃がし孔４６から入り、芳香剤保持部４０に収納された芳香剤６の周囲を通過する空気は、芳香剤６から揮散した芳香成分６０を含んだ状態で芳香成分放出孔４４を通り、紙媒体保持部２０に収納された紙媒体４の繊維の流れ目に沿う様に移動充満して、紙媒体４への移香を促進する効果が得られる。本図では矩形孔２か所が示されているが、孔形状、孔個数は限定されない。
【００２７】
図３は内ケース２の下面図で、内ケース２の紙媒体保持部２０に収納された複数の紙媒体４から１枚を取出すときに、紙媒体４の最上部が内ケース２の紙媒体保持部２０の周囲の壁面より下に位置しているので、紙媒体４全体を下面から指で押上げて最上部の１枚を取出し易くするための、紙媒体取出し用孔２２を示している。
【００２８】
図４は外ケース３の下面図で、内ケース２を外ケース３に完全に収納した状態では、外ケース開口側端面と内ケース端面とが同一平面となって内ケース２の取出しが困難となる為、内ケース２の下面に指を接触させて紙媒体４を取出すために設けられた、内ケース取出し用切欠き部３２を示している。
【００２９】
内ケース２の紙媒体保持部２０に収納された紙媒体４を取出す場合、前記の内ケース取出し用切欠き部３２で指を使って内ケース２を取出すが、紙媒体保持部２０の部分のみ外ケース３から取出して、芳香剤保持部４０は外ケース３内部に留めておくことで芳香剤挿入孔４２が露出せず、芳香成分６０の外気への揮散を防止することが出来る。
【００３０】
図５は、図３に示す内ケース２の紙媒体取出し用孔２２に代えて、付勢体としてリフト部２６を設けた例を示している。
図５（ａ）乃至（ｃ）に示すリフト部２６は、内ケース２の紙媒体保持部２０の下面中央部付近の一部を切欠き、紙媒体保持部２０の開口方向へ紙媒体４を押し上げる弾性体を構成する。リフト部２６により、紙媒体４が下から押し上げられているので、取出し時に指先で紙媒体４を押し上げることなく、速やかに、紙媒体４を紙媒体保持部２０から取出すことができる。
【００３１】
図５（ａ）乃至（ｃ）に示すリフト部２６の折り曲げ開口部の方向は芳香剤保持部４０と反対方向であるが、順方向、または直行方向どちらでも構わない。また、リフト部２６は、紙媒体４を上方向へ付勢する弾性構造であれば、形状、構造は限定せず、内ケース２と別体として取り付けるようにしても良い。
【００３２】
[収納と取出しの動作]
図６（ａ）及び（ｂ）を用いて紙媒体４の内ケース２への収納と取出しの動作について、説明する。
【００３３】
まず、内ケース２の芳香剤保持部４０に、芳香成分６０を含浸させた芳香剤６を挿入する（図１参照）。そして、紙媒体保持部２０には複数枚の紙媒体４を収納する。内ケース２単体の状態で紙媒体４を投入すると、図６（ａ）に示すように、リフト部２６によって紙媒体４の一側が持ち上げられ、収納空間１０である紙媒体保持部２０の周囲壁面の上端より上に飛び出した形となっている。
【００３４】
次に内ケース２を外ケース３に収納する。内ケース２を外ケース３へ収納時の動作によって、空気が空気逃がし孔４６から入り、芳香剤保持部４０に収納された芳香剤６の周囲を通過して、芳香剤６から揮散した芳香成分６０を含んだ状態で芳香成分放出孔４４を通り、紙媒体保持部２０に移動する。内ケース２を外ケース３に収納を続けると、紙媒体保持部２０は徐々に密閉され、収納空間１０を構成する。芳香成分６０は収納空間１０に流れ込む際に、収納された紙媒体４の繊維の流れ目に沿う様に芳香成分６０が移動することで、紙媒体４へ芳香成分６０の移香が行われる。
【００３５】
図６（ｂ）に示すように、内ケース２を外ケース３に収納が終わると収納空間１０は完全に密閉されているので、芳香剤６から揮散する芳香成分６０がこの収納空間１０に充満して外部へ漏れ出るのを抑制され、芳香成分６０が、紙媒体４の繊維の流れ目に沿う様に充満して、紙媒体４へ移香が続けられる。
【００３６】
紙媒体４は外ケース３によって紙媒体保持部２０の周囲壁面の上端より押し下げられた状態で収納空間１０（紙媒体保持部２０）に収納され、リフト部２６は外ケース３によって押し下げられた紙媒体４によって下側に変形された状態となっている。この変形に抗するばね力がリフト部２６に発生することから、紙媒体４には上方（紙媒体保持部開口方向）へ押上げられ、外ケース３と内ケース２とで出来る収納空間１０の紙媒体４の下方に隙間ができ、この隙間に芳香成分６０が充満することにより、紙媒体４は上下２方向から芳香成分６０の移香を受け、移香をさらに促進する効果が得られる。
【００３７】
そして、内ケース２から紙媒体４を取出す場合、内ケース２の紙媒体保持部２０の部分を外ケース３から引き出すと、外ケース３が紙媒体４を通してリフト部２６を変形させていた力が解放されるので、リフト部２６のばね力によって紙媒体４が上側へ押上げられて、紙媒体４の一側が持ち上げられ、収納空間１０（紙媒体保持部２０の周囲壁面の上端）より上に飛び出した形となって、紙媒体４を容易に取り出すことができる。また、図６（ａ）に示すように、リフト部２６は紙媒体４の中央部より右側を持ち上げる構造となっているため、紙媒体保持部２０の一部分が外ケース３から引き出された状態で紙媒体４の一部分が収納空間１０の上端より上に出てくるので、収納空間１０の開口を小さくし、紙媒体保持部２０の全体を露出することなく紙媒体４を取出すことができる。さらに、収納空間１０の開口を小さくすることができるので、芳香成分６０の外気への無駄な揮散を抑制することができる。
【００３８】
図７（ａ）は付勢体として紙媒体４を収納時に纏めるためのクリップ２８の作動状態を示す斜視図で、図７（ｂ）はクリップ２８で紙媒体４を挟んだ状態で内ケース２の紙媒体保持部２０に入れて、外ケース３に収納した状態を示している。上側は紙媒体の枚数が少ない状態で、外ケース３と紙媒体４との隙間が大きい場合を示し、下側は紙媒体の枚数が多い状態で、外ケース３と紙媒体４との隙間が小さく、クリップ２８の変形が大きい場合を示している。このクリップ２８により、紙媒体４の枚数によらずに紙媒体４を内ケース２と外ケース３とで出来る密閉空間（収納空間１０）の中央方向に纏めることで、紙媒体４周辺に隙間を作り、芳香剤６から揮散した芳香成分６０から紙媒体４への移香を促進する効果が得られる。
【００３９】
クリップ２８は、例えばポリプロピレン、ポリエチレンなどの合成樹脂の成形、薄板アルミニウム合金及び鋼板の折り曲げ加工などで出来ている。
【００４０】
クリップ２８を使った収納時に内ケース２から紙媒体４を取出す場合、内ケース２の紙媒体保持部２０の部分を外ケース３から取出した状態で、クリップ２８で纏められた紙媒体４全体を取出し、必要とされる枚数の紙媒体を抜き取ることとなる。
【００４１】
＜第２実施形態＞
次に本発明の第２実施形態について説明する。
図８（ａ）は第２実施形態に係る収納ケースの全体構成を示す図である。図８（ａ）に示すように、収納ケース７は芳香成分６０を含浸させた芳香剤６を収納する芳香剤保持部７０を持つ外ケース９と、紙媒体４を収納する紙媒体保持部５０を持つ内ケース８とから形成される。芳香剤６を収納した状態の外ケース９に、紙媒体４を収納した内ケース８を収納することにより、芳香剤６と紙媒体４とを内蔵する密閉空間（収納空間１０）が形成され、芳香剤６から揮散する芳香成分６０が紙媒体４へ移香される。
【００４２】
内ケース８は、例えばポリプロピレン、ポリエチレンなどの合成樹脂の成形、アルミニウム合金の薄板の折り曲げなどで出来ており、外ケース９は、例えばポリプロピレン、ポリエチレンなどの合成樹脂の成形、アルミニウム合金の深絞り加工ないしインパクトプレス加工などで出来ている。内ケース８の外形寸法と外ケース９の内径寸法との隙間を微小隙間とすることにより、内ケース８を外ケース９に収納した状態で密閉空間が出来、内蔵された芳香剤６から揮散する芳香成分６０がこの密閉空間に充満して紙媒体４へ移香される。
【００４３】
図８（ｂ）のＹ矢視は、芳香剤保持部７０と紙媒体保持部５０とを隔て、芳香剤６と紙媒体４との直接接触を防止する、内ケース８の外ケース９に対する挿入側端面に開孔された、芳香成分放出孔７４を示している。内ケース８の外ケース９への収納時に、外ケース９内部で芳香剤６から揮散した芳香成分６０が、この芳香成分放出孔７４を通って紙媒体保持部５０に収納された紙媒体４の繊維の流れ目に沿う様に充満して、紙媒体４へ移香される。本図では矩形孔２か所が示されているが、芳香剤６と紙媒体４との直接接触が防止され、芳香成分６０の揮散による移香が出来れば、孔形状・孔個数は限定されない。
【００４４】
図８（ｃ）のZ矢視は、内ケース８の側面部拡大図で、内ケース８を外ケース９に完全に収納した状態で外ケース９内部に芳香剤保持部７０の空間を確保するために設けられた、ストッパ部４７を示している。このストッパ部４７により、内ケース８の外ケース９への収納位置が制限され、外ケース９内部に芳香剤保持部７０の空間が確保される。内ケース８の紙媒体保持部５０に収納された紙媒体４を取出す場合、前記のストッパ部４７に指を接触させて内ケース８を外ケース９から取出す。
【００４５】
図８（ａ）の紙媒体取出し用孔５２は内ケース８の下面に設けられ、内ケース８の紙媒体保持部５０に収納された複数の紙媒体４から１枚を取出すときに、紙媒体４全体を下面から指で押上げて最上部の１枚を取出し易くするために使用される。
【００４６】
第１実施形態で図３、図５、図７に示される、内ケース２への紙媒体４の収納、取出しに係るリフト部２６およびクリップ２８の構成に関しては、第２実施形態においても同様であるため、その詳細な説明は省略する。
【００４７】
＜第３実施形態＞
図９は第３実施形態に係る収納ケースの第１例の全体構成を示す図である。図９（ａ）に示すように、収納ケース１１は芳香成分６０を含浸させた芳香剤６を収納する芳香剤保持部９０を持つ外ケース１２と、紙媒体４を収納する紙媒体保持部８０を持つ内ケース１４と、外ケース１２の反対側から内ケース１４を挟みこむ構造で収納ケース１１を構成する外ケース１３とから形成される。芳香剤６を収納した状態の外ケース１２と、外ケース１３との組み合わせで、紙媒体４を収納した内ケース１４を挟みこむ形で収納することにより、芳香剤６と紙媒体４とを内蔵する密閉空間（収納空間１０）が形成され、芳香剤６から揮散する芳香成分６０が紙媒体４へ移香される。
【００４８】
内ケース１４は、例えばポリプロピレン、ポリエチレンなどの合成樹脂の成形、アルミニウム合金の薄板の折り曲げなどで出来ており、外ケース１２および外ケース１３は、例えばポリプロピレン、ポリエチレンなどの合成樹脂の成形、アルミニウム合金の深絞り加工ないしインパクトプレス加工などで出来ている。内ケース１４の外形寸法と外ケース１２および外ケース１３の内径寸法との隙間を微小隙間とすることにより、内ケース１４を外ケース１２および外ケース１３で挟みこむ形で収納した状態で密閉空間が出来、内蔵された芳香剤６から揮散する芳香成分６０がこの密閉空間に充満して紙媒体４へ移香される。
【００４９】
図９（ｂ）のＹ矢視は、芳香剤保持部９０と紙媒体保持部８０とを隔て、芳香剤６と紙媒体４との直接接触を防止する、内ケース１４の外ケース１２に対する挿入側端面に開孔された、芳香成分放出孔９４を示している。内ケース１４の外ケース１２への収納時に、外ケース１２内部で芳香剤６から揮散した芳香成分６０が、この芳香成分放出孔９４を通って紙媒体保持部８０に収納された紙媒体４の繊維の流れ目に沿う様に充満して、紙媒体４へ移香される。本図では矩形孔２か所が示されているが、芳香剤６と紙媒体４との直接接触が防止され、芳香成分６０の揮散による移香が出来れば、孔形状・孔個数は限定されない。
【００５０】
図９（ｃ）は、収納ケース１１の長手方向断面図で、外ケース１２と外ケース１３とで内ケース１４を挟みこむ形で紙媒体４を完全に収納した状態を示している。内ケース１４の外周部分に構成されたストッパ部９７は、内ケース１４を外ケース１２に挿入した時に、挿入位置を限定して芳香剤保持部９０を確保するために設けられている。ストッパ部９７は、内ケース１４が合成樹脂の成形品の場合には一体成型または別部品の接着により、内ケースが金属の場合には別備品の接着により形成される。本図では外周に連続した直線形状で示されているが、挿入位置を限定できれば任意の形状が可能である。
【００５１】
図９（ｃ）の断面図に示す様に、内ケース１４の長さは紙媒体４の長さに対して短くなっており、外ケース１３を外した状態で紙媒体４の片側端面部分が完全に露出しているので、紙媒体４を容易に取出すことができ、前述の第１実施形態および第２実施形態で示した紙媒体取出し孔が不要となる。
【００５２】
図１０は第３実施形態に係る収納ケースの第２例の全体構成を示す図である。図１０（ａ）に示すように、収納ケース１１は芳香成分６０を含浸させた芳香剤６を収納する芳香剤保持部９０を持つ外ケース１２と、紙媒体４を収納する紙媒体保持部８０を持つ内ケース１４と、外ケース１２の反対側から内ケース１４を挟みこむ構造で収納ケース１１を構成する外ケース１３とから形成される。芳香剤６を収納した状態の外ケース１２と、外ケース１３との組み合わせで、紙媒体４を収納した内ケース１４を挟みこむ形で収納することにより、芳香剤６と紙媒体４とを内蔵する密閉空間（収納空間１０）が形成され、芳香剤６から揮散する芳香成分６０が紙媒体４へ移香される。第１例で内ケース外周部に設けられているストッパ部９８を、本事例では外ケース１２内側に構成している。
【００５３】
内ケース１４は、例えばポリプロピレン、ポリエチレンなどの合成樹脂の成形、アルミニウム合金の薄板の折り曲げなどで出来ており、外ケース１２および外ケース１３は、例えばポリプロピレン、ポリエチレンなどの合成樹脂の成形、アルミニウム合金の深絞り加工ないしインパクトプレス加工などで出来ている。内ケース１４の外形寸法と外ケース１２および外ケース１３の内径寸法との隙間を微小隙間とすることにより、内ケース１４を外ケース１２および外ケース１３で挟みこむ形で収納した状態で密閉空間が出来、内蔵された芳香剤６から揮散する芳香成分６０がこの密閉空間に充満して紙媒体４へ移香される。
【００５４】
図１０（ｂ）のＹ矢視は、図９（ｂ）に示す第１例と同じ形態であるので説明は省略する。
【００５５】
図１０（ｃ）は、収納ケース１１の長手方向断面図で、外ケース１２と外ケース１３とで内ケース１４を挟みこむ形で紙媒体４を完全に収納した状態を示している。外ケース１２の内部で芳香剤保持部９０の両外側部分に構成されたストッパ部９８は、内ケース１４を外ケース１２に挿入した時に、挿入位置を限定して芳香剤保持部９０を確保するために設けられている。
【００５６】
図１０（ｃ）の断面図に示す様に、内ケース１４の長さは紙媒体４の長さに対して短くなっており、外ケース１３を外した状態で紙媒体４の片側端面部分が完全に露出しているので、紙媒体４を容易に取出すことができ、前述の第１実施形態および第２実施形態で示した紙媒体取出し孔が不要となる。
【００５７】
図１１は片側開口の外ケース１２の上面図、左側面図、右側面図を示しており、芳香剤保持部９０を確保するための内ケース１４に対する２か所のストッパ部９８を一部断面図として明示している。このストッパ部９８により内ケース１４の挿入位置が限定され、芳香剤６が押しつぶされるのを防いでいる。ストッパ部９７は、外ケース１３が合成樹脂の成形品の場合には一体成型または別部品の接着により、内ケースが金属の場合には別備品の接着により形成される。
【００５８】
本発明は、その本質的特性から逸脱することなく数多くの形式のものとして具体化することができる。よって、上述した実施形態は専ら説明上のものであり、本発明を制限するものではないことは言うまでもない。
【符号の説明】
【００５９】
１、７、１１        収納ケース
２、８、１４        内ケース
３、９、１２、１３  外ケース
４    紙媒体
６    芳香剤
１０  収納空間
２０、５０、８０  紙媒体保持部
２２、５２        紙媒体取出し用孔
２４  仕切面
２６  リフト部
２８  クリップ
３２  内ケース取出し用切欠き部
４０、７０、９０  芳香剤保持部
４２  芳香剤挿入孔
４４、７４、９４  芳香成分放出孔
４６  空気逃がし孔
４７、９７、９８  ストッパ部
６０  芳香成分
【図１】
2018134832.tif 000003
【図２】
2018134832.tif 000004
【図３】
2018134832.tif 000005
【図４】
2018134832.tif 000006
【図５】
2018134832.tif 000007
【図６】
2018134832.tif 000008
【図７】
2018134832.tif 000009
【図８】
2018134832.tif 000010
【図９】
2018134832.tif 000011
【図１０】
2018134832.tif 000012
【図１１】
2018134832.tif 000013
【図１２】
2018134832.tif 000014